(57)【要約】【課題】ナノ遠赤外線湿布の提供。【解決手段】ナノ遠赤外線湿布において、前記湿布は表層とナノ遠赤外線基質層を具え、前記表層にプラスチック・フィルムが使用され、前記ナノ遠赤外線基質層は布層と前記布層の一側面に設けられた粘性フィルム層を包含し、前記布層の一側面の粘性フィルム層に、前記表層のプラスチック・フィルムが接合され、使用時には、前記表層のプラスチック・フィルムまたは離型紙が剥がされ、前記ナノ遠赤外線基質層が体の背面の頸部または腰部の中枢神経系統に対応する部分に貼り付けられる。【選択図】図１
0003123546.tif 000002
【実用新案登録請求の範囲】
【請求項１】
ナノ遠赤外線湿布は、表層とナノ遠赤外線基質層を備え、表層にプラスチック・フィルムが使用され、ナノ遠赤外線基質層は布層と布層の一側面に設けられた粘性フィルム層を包含し、布層の一側面の粘性フィルム層に、表層のプラスチック・フィルムが接合され、使用時には、表層のプラスチック・フィルムと離型紙が剥がされ、ナノ遠赤外線基質層が体の背面の頸部または腰部の中枢神経系統に反応する部分に貼り付けられることを特徴とするナノ遠赤外線湿布。
【請求項２】
前記ナノ遠赤外線基質層はナノ遠赤外線粉末（Ｎａｎｏ  ｆａｒ  ｉｎｆｒａｒｅｄ  ｐｏｗｄｅｒ）と液体シリコン感圧接着剤（Ｌｉｑｕｉｄ  ｓｉｌｉｃｏｎｅ  ｐｒｅｓｓｕｒｅ  ｓｅｎｓｉｔｉｖｅ  ａｄｈｅｓｉｖｅ）を均一に混合し加熱した後、綿質の弾性布と一体に凝固硬化させることで、布層と布層の一側面の粘性フィルム層を作りあげていることを特徴とする請求項１記載のナノ遠赤外線湿布。
【請求項３】
前記ナノ遠赤外線基質層はナノ遠赤外線粉末（Ｎａｎｏ  ｆａｒ  ｉｎｆｒａｒｅｄ  ｐｏｗｄｅｒ）と液体アクリル樹脂（Ｌｉｑｕｉｄ  ｓｔａｔｅｓ  ａｃｒｙｌｉｃ  ｒｅｓｉｎｓ）を均一に混合し加熱した後、綿質の弾性布と一体に凝固硬化させることで、布層と布層の一側面の粘性フィルム層をつくり出している、前記液体アクリル樹脂はあらかじめ微量のトルエン（Ｔｏｋｕｅｎｅ）と微量の酢酸エチル（Ｅｔｈｙｌ  ａｃｅｔａｔｅ）によって、希釈していることを特徴とする請求項１記載のナノ遠赤外線湿布。
【請求項４】
前記ナノ遠赤外線基質層はナノ遠赤外線粉末、微量のマイナスイオン粉末、微量の光触媒粉末と液体シリコン感圧接着剤を均一に混合し加熱した後、綿質の弾性布と一体になるように凝固硬化させることで、布層と布層の一側面の粘性フィルム層をつくり上げていることを特徴とする請求項１記載のナノ遠赤外線湿布。
【請求項５】
前記ナノ遠赤外線基質層はナノ遠赤外線粉末、微量のマイナスイオン粉末、液体シリコン感圧接着剤を均一に混合し加熱した後、綿質の弾性布と一体になるように凝固硬化させることで、布層と布層の一側面の粘性フィルム層をつくり上げていることを特徴とする請求項１記載のナノ遠赤外線湿布。
【請求項６】
前記ナノ遠赤外線基質層はナノ遠赤外線粉末、微量の光触媒粉末、液体シリコン感圧接着剤、均一に混合し加熱した後、綿質の弾性布と一体になるように凝固硬化させることで、布層と布層の一側面の粘性フィルム層をつくり上げていることを特徴とする請求項１記載のナノ遠赤外線湿布。
【請求項７】
前記表層は離型紙であることが特徴である請求項１記載のナノ遠赤外線湿布。
【請求項８】
ナノ遠赤外線湿布は、前記湿布は表層とナノ遠赤外線基質層を備え、表層はプラスチック・フィルムが用いられ、ナノ遠赤外線基質層は布層と、前記布層の一側面に設けられた粘性フィルム層を備え、布層の一側面の粘性フィルム層は表層のプラスチック・フィルムに接合され、更に前記ナノ遠赤外線基質層はナノ遠赤外線粉末（Ｎａｎｏ  ｆａｒ  ｉｎｆｒａｒｅｄ  ｐｏｗｄｅｒ）と液体シリコン感圧接着剤（Ｌｉｑｕｉｄ  ｓｉｌｉｃｏｎｅ  ｐｒｅｓｓｕｒｅ  ｓｅｎｓｉｔｉｖｅ  ａｄｈｅｓｉｖｅ）を均一に混合し加熱した後、綿質の弾性布と一体に凝固硬化させることで、前記布層と前記布層の一側面の粘性フィルム層をつくり上げ、布層の底面に別にプラスチック・フィルムが貼り付けられ、使用時には、表層のプラスチック・フィルムまたは離型紙及び前記布層の底面のプラスチック・フィルムを剥し、ナノ遠赤外線基質層の粘性フィルム層が人体の背面の頸部または腰部の中枢神経系統に反応する部分に貼り付けられることを特徴とするナノ遠赤外線湿布。
【考案の詳細な説明】
【技術分野】
【０００１】
本考案はナノ遠赤外線湿布に関わる事である。湿布にナノ遠赤外線基質層を設けて、該湿布を身体の背面の頸部または腰部の中枢神経系統に反応する場所に貼り付けることで、ナノ遠赤外線の輻射を受け、医療効果と保健機能を実現するようにした、ナノ遠赤外線湿布に関する事である。
【背景技術】
【０００２】
従来、体の痛みは東洋医学、又は西洋医学２種の方法で治療されてきた。東洋医学は鍼灸、マッサージを用い、漢方薬などを服用して病気を治療されてきた。これに対して、西洋医学は、科学的分析を基にした、薬の経口服用、注射（皮下注射）などがほとんどである。しかしながら、前記各種治療方法は、薬物アレルギーまたは不注意による注射、処方間違いなどの医療ミスが起こりうる。
【０００３】
太陽エネルギーの８０％は赤外線であり、赤外線の８０％は１０〜２０のミニメートル波長である。また、太陽エネルギーの６０％以上は１０〜２０ミニメートルの赤外線を含む。この波長帯は体に有益とされている。一方、赤外線はさらに波長帯０. ７５〜４ミニメートルの近赤外線と波長帯４〜１０００ミニメートルの遠赤外線を含む。そのうち、８〜１４ミニメートルの遠赤外線は共鳴効果と浸透力の機能を有し、輻射が均一であるため、体に良い働きを与える。ナノ遠赤外線は目に見えないが、直進、屈折、反射などの光特質を持つほか、浸透力を有し、多くの物質に吸収し熱反応を引き起こす輻射とされ評価されている。ナノ遠赤外線の医療保健分野における応用は、極めて安全で、組織破壊の危険性がないほか、その温熱感は体の深部に届くとされている。その光熱は輻射熱のため、温熱感は極めて安全で、鉱物質を含む温泉のように、さわやかな感じをもたらす。今やナノ遠赤外線による医療保健効果は多くの人々に浸透している。遠赤外線は波長帯４〜１０００ミニメートルの電磁波である。この種の電磁波の働きにより、医療保健効果を引き起す。その働きは体内分子との共振吸熱働きにある。体内に存在する多くの分子はナノ遠赤外線の共振吸熱働きにより、遠赤外線を吸収しエネルギーと熱量を作り出す。しかし、ナノ遠赤外線の浸透力と分子振動形態の作用を最大に受けるのは、皮下の水分子と微血管内部の二酸化炭素、２種の分子である。皮下の水分子が遠赤外線のエネルギーを吸収し、水分子の振動を増大することにより、活性と運動力を失い固まった水分子を分散させ、自由基を持つ小さい水分子を作り出す。これらの活性化された小さい水分子は有毒物質と結合し、熱吸収により拡張された汗腺より排出される。活性化された小さい水分子は他の活性化酵素の生成を促し、健康効果を発揮する。さらに、微細血管においては水分子のほかに、二酸化炭素分子も様々な波長の遠赤外線を吸収できる。これらの分子が増強し、振動により引き起こすエネルギーと熱量は血管を拡張させるほか、微細血管の血液交換と搬送能力を強化し、血液滞留による様々な疾病の発生の回避に役立つ。以上の説明により、遠赤外線の体の健康に対する重要性がわかる。ナノ遠赤外線の特殊効果を日常生活に応用することは、我々にもっと健康で楽しい生活をもたらし得る。そしてまた、遠赤外線の体に対する特殊効果により、体により健康をもたらす。ただし、前記分子共振吸熱機能において、ナノ遠赤外線の医療保健効果は、体に全面的に吸収することで、その効果が良好となり、また長時間にわたり体に作用を及ぼすようにすることが望ましい。
【０００４】
このため、本考案者は研究とテストを繰り返した結果、中枢神経系統を介して医療効果を実現するナノ遠赤外線湿布を考案した。
【考案の開示】
【考案が解決しようとする課題】
【０００５】
本考案は、中枢神経系統を介して医療効果を実現するナノ遠赤外線湿布を提供することを主な目的とする。本考案によると、ナノ遠赤外線放射機能を湿布に添加し、この湿布を体の背面の頸部または腰部の中枢神経系統に反応する場所に貼り付けて、体にナノ遠赤外線の輻射を受けさせることで、医療効果と保健機能を実現し、生活上の不便を解消できるようにする。
【０００６】
本考案は、中枢神経系統を介して医療効果を実現するナノ遠赤外線湿布を提供することを次の主な目的とする。本考案によると、ナノ遠赤外線を湿布に添加し、体と緊密に接触させることにより、ナノ遠赤外線を体の深層に輻射し、しかし皮膚表面に跡が残らない。皮下深層の温度を上昇させることにより、微細血管を拡張させ、血液循環を促し、血液とその他組織との新陳代謝を強化して、組織再生能力と痙攣対抗力を促進する。このほか、知覚神経の異常興奮を抑制し、自律神経の調節効果を発揮する。このため、本考案は健康分野の赤外線治療方法のほか、他の医療器材の代替え品として使用できる。
【０００７】
本考案は、中枢神経系統を介して医療効果を実現するナノ遠赤外線湿布を提供することをさらに一つの目的とする。本考案は従来の医療方式のような薬物アレルギーまたは医療過失などの欠点を引き起こさず、使用が便利、且つ安全に行える。
【課題を解決するための手段】
【０００８】
請求項１の考案は、ナノ遠赤外線湿布は、表層とナノ遠赤外線基質層を備え、表層にプラスチック・フィルムが使用され、ナノ遠赤外線基質層は布層と布層の一側面に設けられた粘性フィルム層を包含し、布層の一側面の粘性フィルム層に、表層のプラスチック・フィルムが接合され、使用時には、表層のプラスチック・フィルムと離型紙が剥がされ、ナノ遠赤外線基質層が体の背面の頸部または腰部の中枢神経系統に反応する部分に貼り付けられることを特徴とするナノ遠赤外線湿布としている。
請求項２の考案は、前記ナノ遠赤外線基質層はナノ遠赤外線粉末（Ｎａｎｏ  ｆａｒ  ｉｎｆｒａｒｅｄ  ｐｏｗｄｅｒ）と液体シリコン感圧接着剤（Ｌｉｑｕｉｄ  ｓｉｌｉｃｏｎｅ  ｐｒｅｓｓｕｒｅ  ｓｅｎｓｉｔｉｖｅ  ａｄｈｅｓｉｖｅ）を均一に混合し加熱した後、綿質の弾性布と一体に凝固硬化させることで、布層と布層の一側面の粘性フィルム層を作りあげていることを特徴とする請求項１記載のナノ遠赤外線湿布としている。
請求項３の考案は、前記ナノ遠赤外線基質層はナノ遠赤外線粉末（Ｎａｎｏ  ｆａｒ  ｉｎｆｒａｒｅｄ  ｐｏｗｄｅｒ）と液体アクリル樹脂（Ｌｉｑｕｉｄ  ｓｔａｔｅｓ  ａｃｒｙｌｉｃ  ｒｅｓｉｎｓ）を均一に混合し加熱した後、綿質の弾性布と一体に凝固硬化させることで、布層と布層の一側面の粘性フィルム層をつくり出している、前記液体アクリル樹脂はあらかじめ微量のトルエン（Ｔｏｋｕｅｎｅ）と微量の酢酸エチル（Ｅｔｈｙｌ  ａｃｅｔａｔｅ）によって、希釈していることを特徴とする請求項１記載のナノ遠赤外線湿布としている。
請求項４の考案は、前記ナノ遠赤外線基質層はナノ遠赤外線粉末、微量のマイナスイオン粉末、微量の光触媒粉末と液体シリコン感圧接着剤を均一に混合し加熱した後、綿質の弾性布と一体になるように凝固硬化させることで、布層と布層の一側面の粘性フィルム層をつくり上げていることを特徴とする請求項１記載のナノ遠赤外線湿布としている。
請求項５の考案は、前記ナノ遠赤外線基質層はナノ遠赤外線粉末、微量のマイナスイオン粉末、液体シリコン感圧接着剤を均一に混合し加熱した後、綿質の弾性布と一体になるように凝固硬化させることで、布層と布層の一側面の粘性フィルム層をつくり上げていることを特徴とする請求項１記載のナノ遠赤外線湿布としている。
請求項６の考案は、前記ナノ遠赤外線基質層はナノ遠赤外線粉末、微量の光触媒粉末、液体シリコン感圧接着剤、均一に混合し加熱した後、綿質の弾性布と一体になるように凝固硬化させることで、布層と布層の一側面の粘性フィルム層をつくり上げていることを特徴とする請求項１記載のナノ遠赤外線湿布としている。
請求項７の考案は、前記表層は離型紙であることが特徴である請求項１記載のナノ遠赤外線湿布としている。
請求項８の考案は、ナノ遠赤外線湿布は、前記湿布は表層とナノ遠赤外線基質層を備え、表層はプラスチック・フィルムが用いられ、ナノ遠赤外線基質層は布層と、前記布層の一側面に設けられた粘性フィルム層を備え、布層の一側面の粘性フィルム層は表層のプラスチック・フィルムに接合され、更に前記ナノ遠赤外線基質層はナノ遠赤外線粉末（Ｎａｎｏ  ｆａｒ  ｉｎｆｒａｒｅｄ  ｐｏｗｄｅｒ）と液体シリコン感圧接着剤（Ｌｉｑｕｉｄ  ｓｉｌｉｃｏｎｅ  ｐｒｅｓｓｕｒｅ  ｓｅｎｓｉｔｉｖｅ  ａｄｈｅｓｉｖｅ）を均一に混合し加熱した後、綿質の弾性布と一体に凝固硬化させることで、前記布層と前記布層の一側面の粘性フィルム層をつくり上げ、布層の底面に別にプラスチック・フィルムが貼り付けられ、使用時には、表層のプラスチック・フィルムまたは離型紙及び前記布層の底面のプラスチック・フィルムを剥し、ナノ遠赤外線基質層の粘性フィルム層が人体の背面の頸部または腰部の中枢神経系統に反応する部分に貼り付けられることを特徴とするナノ遠赤外線湿布としている。
【考案の効果】
【０００９】
本考案の遠赤外線湿布は、使用が簡単であるほか、その輻射する赤外線の、ストレスに関わる病気、痛みの改善、リュウマチ関節炎、麻痺の回復、運動けがのリハビリ、手術傷口の癒合および痛み止め、腰、背中、膝の痛み、胃腸病、高低血圧、喘息などの疾病に対する治療効果が明らかである。そのほか、体臭除去、解毒、冬季に温かく、夏に涼しく、また湿気除去と美容などの効果を有する。
【考案を実施するための最良の形態】
【００１０】
図１〜図２に示すとおり、本考案は中枢神経系統を介して医療効果を実現するナノ遠赤外線湿布１に関わるもので、表層１１とナノ遠赤外線基質層１２より構成される。そのうち、表層１１はプラスチック・フィルムまたは離型紙とされ、前記ナノ遠赤外線基質層１２はナノ遠赤外線粉末（Ｎａｎｏｆａｒ  ｉｎｆｒａｒｅｄ  ｐｏｗｄｅｒ）と液体シリコン感圧接着剤（Ｌｉｑｕｉｄ  ｓｉｌｉｃｏｎｅ  ｐｒｅｓｓｕｒｅ  ｓｅｎｓｉｔｉｖｅａｄｈｅｓｉｖｅ）または液体アクリル樹脂（Ｌｉｑｕｉｄ  ｓｔａｔｅｓ  ａｃｒｙｌｉｃ  ｒｅｓｉｎｓ）を均一に混合し加熱した後、綿質の弾性布と一体に凝固硬化させて構成される。前記ナノ遠赤外線基質層１２に布層１２１および布層１２１の片側の粘性フィルム層１２２が設けられる。布層１２１の片側の粘性フィルム層１２２が前記プラスチック・フィルムまたは離型紙などの表層１１に接合される。使用する時には、表層１のプラスチック・フィルムまたは離型紙を剥がした後、ナノ遠赤外線基質層１２の粘性フィルム層１２２を身体２（図２）背面の頸部２１または腰部２２の中枢神経系統に反応する場所に貼り付けることにより、ナノ遠赤外線の作用が中枢神経系統へ徐々に浸透してゆき、体の痛感場所の医療効果と保健機能実現し、生活上の不便を解消する。
【００１１】
さらに、前記ナノ遠赤外線基質層１２の適切な比率の一例として２０％のナノ遠赤外線粉末を８０％の特定濃度の液体シリコン感圧接着剤または液体アクリル樹脂へ均一に混合し分散させ、押し出し金型（図示していない）に充填した後、綿質の弾性布を被せて、押し出し金型の中空形状により、様々な厚み、寸法および形状を作り上げることができる。押し出し金型は１２０o Ｃ- １３０o Ｃで一定時間の加熱を行い、圧力と加熱作用により液体シリコン感圧接着剤または液体アクリル樹脂を徐々に硬化させて、ナノ遠赤外線基質層１２を形成する。前記ナノ遠赤外線基質層１２は布層１２１および布層１２１の一側面の粘性フィルム層１２２で構成され、押し出し金型より取り出したナノ遠赤外線基質層１２はその粘性フィルム層１２２が前記表層１１に貼り付けられ、前記表層１１はプラスチック・フィルムまたは離型紙を使用することが可能である。
【００１２】
前記液体アクリル樹脂は、ナノ遠赤外線粉末と混合する前に、微量のトルエン（Ｔｏｌｕｅｎｅ）と微量の酢酸エチル（Ｅｔｈｙｌ  Ａｃｅｔａｔｅ）によって希釈する。
【００１３】
前記ナノ遠赤外線粉末は亜鉛粉、アルミ粉、チタン粉、アンチモン粉より合成される。
【００１４】
前記２０％のナノ遠赤外線粉末は、その含有率を適切な百分比の光触媒粉末またはマイナスイオンに置換することができる。一例として、もとの２０％のナノ遠赤外線粉末は、１４％のナノ遠赤外線粉末、１％の光触媒粉末および５％のマイナスイオンに置換するか、または１８％のナノ遠赤外線粉末と２％の光触媒粉末に置換することができる。もしくは、１５％のナノ遠赤外線粉末と５％のマイナスイオンに置換することができる。
【００１５】
図３に示すとおり、前記ナノ遠赤外線基質層１２の布層１２１底面にさらにプラスチック・フィルム１２０を貼り付けることができる。
【００１６】
本考案は以下の促進効果がある、
１．本考案はナノ遠赤外線基質層の湿布を体の背面の頸部または腰部の中枢神経系統に反応する場所に貼り付けて、体に対してナノ遠赤外線の輻射により、徐々に医療保健の効果を実現する、
２．本考案はナノ遠赤外線の輻射機能が備わり、体と自然に密着して、ナノ遠赤外線を体に輻射し、体の深層部に届けることができ、尚且つ皮膚表面に跡を残さない。さらに、皮下深層の温度を上昇させることにより、微細血管を拡張し、血液循環を促進し、血液および他の組織との新陳代謝を強化し、組織再生能力と痙攣抵抗力を促進するほか、知覚神経の異常興奮を抑制し、自律神経の調節効果を有するため、健康に有益な赤外線治療方法のほか、他の医療器材の代替え品に応用できる、
３．表層１のプラスチック・フィルムまたは離型紙を剥がして、ナノ遠赤外線基質層１２の粘性フィルム層１２２を体に貼り付けることができ、使用が非常に簡単である。従来の医療方式のような薬物アレルギーまたは医療過失などの欠点を引き起こさず、非常に安全である。
【００１７】
前記医療保健効果は以下のとおりまとめることができる、
（１）疲労回復：短時間に体内に累積した疲労物質と老廃物を体外に排出し、疲労と圧力から回復する、
（２）肩こりと腰痛の改善：血液循環を促進することにより、筋肉の血液流量を増やし、筋肉の硬直と痛みを改善し、五十肩にも効果がある、
（３）スポーツ傷害の間接的な機能回復：激しい運動は体のバランスを崩し、様々な病気の原因となる。ナノ遠赤外線は乳酸と老廃物の排出を促進し、新陳代謝機能を向上させ、血液循環を促進する、
（４）血液循環を促進し、高低血圧を改善：血液は体の組織・器官を循環する仲介役のため、栄養分と酸素を各組織に搬送している。もしこの機能に支障を発生すると、健康に害する。ナノ遠赤外線は血液循環を促進し、血管疾病を予防し、保健と治療の抜本的な方策となる、
（５）新陳代謝を促進し、余分な脂肪を除去する：ナノ遠赤外線はコレステロールと中性脂肪を低下させ、老化を予防し、美容とダイエット効果を有し、動脈硬化も有効である、（６）有害の重金属を排出：体に５５種の鉱物質により生理機能を調節している。有害の鉱物質の超過や必要な鉱物質が不足するとき、病気を引き起こす。ナノ遠赤外線は体より有害物質を排出して、体を健康状態に維持する。
【００１８】
前記に説明したとおり、本考案の中枢神経系統を介して医療効果を実現するナノ遠赤外線湿布は、使用に簡単、便利であるほか、赤外線がストレスに関わる病気、痛みの改善、リュウマチ関節炎、麻痺の回復、運動けがのリハビリ、手術傷口の癒合および痛み止め、腰、背中、膝の痛み、胃腸病、高低血圧、喘息などの疾病に対する、治療効果は明らかである。また、体臭除去、解毒、冬季に温かく、夏に涼しく、また、湿気除去と美容などの効果を有する。
【図面の簡単な説明】
【００１９】
【図１】本考案の実施例の拡大概略図である。
【図２】本考案の実施例における、身体の背面に貼り付けた平面概略図である。
【図３】本考案の実施例における、新たにプラスチック・フィルムを貼り付けた平面概略図である。
【符号の説明】
【００２０】
１  湿布
１１  表層
１２  ナノ赤外線基質層
１２０  プラスチック・フィルム
１２１  布層
１２２  粘性フィルム層
２  身体
２１  頸部
２２  腰部
【図１】
0003123546.tif 000003
【図２】
0003123546.tif 000004
【図３】
0003123546.tif 000005